(57)【要約】【課題】屋根本体の先端に突出させた庇の下方に設けた排気口から雨水、氷雪が舞い上がって浸入することを防止するための通気用孔板と防水板を容易に取り付けできる電気機器収納用箱を提供する。【解決手段】箱本体１の上部開口１ａを覆う屋根本体２の先端に突出させた庇４の前面板部４１の下端と、前記箱本体１の前面上部との間に形成した排気口５を閉塞するように臨ませる通気用孔板６と該通気用孔板６の上部に設ける防水板７とを取付板部８の上下に一体に形成してなる排気用ユニット９を該取付板部８をもって前記箱本体１の前面上部に取り付ける。【選択図】図１
2010081730.tif 000002
【特許請求の範囲】
【請求項１】
箱本体の上部開口を覆う屋根本体の先端に突出させた庇の前面板部の下端と、前記箱本体の前面上部との間に形成した排気口を閉塞するように臨ませる通気用孔板と該通気用孔板の上部に設ける防水板とを取付板部の上下に一体に形成してなる排気用ユニットを該取付板部をもって前記箱本体の前面上部に取り付けたことを特徴とする電気機器収納用箱。
【請求項２】
庇の前面板部の下端と通気用孔板の先端との間に空隙を設けた請求項１に記載の電気機器収納用箱。
【発明の詳細な説明】
【技術分野】
【０００１】
本発明は、屋外に設置するキュービクル式高圧受電設備や配電盤等に使用する電気機器収納用箱に関するものである。
【背景技術】
【０００２】
屋外に設置するキュービクル式高圧受電設備に使用する電気機器収納用箱は搭載した変圧器等により発生した熱を上部開口から屋根本体に突設した庇の下方に設けた排気口から排出するものを普通としている。更に、このように庇の下方の排気口から熱を排出する構造でありながら、雨水や氷雪が箱本体内に浸入することを防止できるものである。
【０００３】
しかしながら、前記のように庇の下方の排気口から熱を排出する構造としたものであっても、大雨、雨風や吹雪により雨水、氷雪が舞い上がり排気口から浸入する問題がある。
【０００４】
そこで、雨水、氷雪が舞い上がり排気口から浸入することのないものとして、図５に示す、箱本体１００の上部開口１０１を覆う屋根本体１０２の先端に突出させた庇１０３の下方に設けた排気口１０４に通気用孔板１０５を設置したうえ該通気用孔板１０５の上部に防水板１０６を設けものが知られている（例えば、特許文献１参照）。
【０００５】
ところが、従来の取付方法は箱本体１の前面上部に防水板１０６を取り付け、屋根本体１０２を防水板１０６に接触しないように被せて箱本体に取り付け、庇の前面板部の下端と前記箱本体の前面上部との間に形成した排気口１０４から通気用孔板１０５を内部に挿入し、防水板１０６と通気用孔板１０５を取付けるものであるため取付作業が面倒であるという問題がある。
また、通気用孔板１０５の一端は防水板１０６に取付けているが、他端は庇の前面板部の下端と固定すると部品点数が多くなってしまう。そのため、通気用孔板１０５の他端は庇の前面板部の下端に載せた状態としているが内部機器による振動が通気用孔板を介して庇に伝わるため種と共振して騒音が出るという問題がある。
【特許文献１】特開平１０−１０８３０９公報（特に図２）
【発明の開示】
【発明が解決しようとする課題】
【０００６】
本発明は前記のような問題を解決するためになされたもので、屋根本体の先端に突出させた庇の下方に設けた排気口から雨水、氷雪が舞い上がって浸入することを防止するための通気用孔板と防水板を容易に取り付けできる電気機器収納用箱を提供する。
【課題を解決するための手段】
【０００７】
本発明の電気機器収納用箱は、箱本体の上部開口を覆う屋根本体の先端に突出させた庇の前面板部の下端と、前記箱本体の前面上部との間に形成した排気口を閉塞するように臨ませる通気用孔板と該通気用孔板の上部に設ける防水板とを取付板部の上下に一体に形成してなる排気用ユニットを該取付板部をもって前記箱本体の前面上部に取り付けたことを特徴とするものを基本の発明とする。
【０００８】
そして、この発明において、庇の前面板部の下端と通気用孔板の先端との間に空隙を設けたものとしてもよい。
【発明の効果】
【０００９】
前記した本発明の電気機器収納用箱は、箱本体に搭載した変圧器等により発生した熱を上部開口から屋根本体に突設した庇の下方に設けた排気口から排出するものである。この場合に、排気口を閉塞するように臨ませる通気用孔板と該通気用孔板の上部に防水板を設けたものであるので、雨風や吹雪により雨水、氷雪が舞い上がり通気用孔板を通過しても防水板により遮断されるので排気口から箱本体内に浸入することがないものである。
【００１０】
また、排気口を閉塞するように臨ませる通気用孔板と該通気用孔板の上部に設ける防水板とは取付板部の上下に一体に形成してなる排気用ユニットとしたもので、該取付板部をもって前記箱本体の前面上部に取り付けたものであるので、取付作業が容易であるうえ部品点数が少なく部品管理も容易なものとなる。
【００１１】
さらに、庇の前面板部の下端と通気用孔板の先端との間に空隙を設けたものとすると、通気用孔板に箱本体に搭載した変圧器等からの内部機器による振動が通気用孔板を介して庇に伝わることがないので、屋根との共振がなくなり、騒音の低減となるものである。
【発明を実施するための最良の形態】
【００１２】
次に、本発明の好ましい実施の形態を図１〜図４に基づいて説明する。
図１は本発明にかかる電気機器収納用箱の全体を示す一部切欠斜視図であり、１は箱本体、２は該箱本体１の上部開口１ａを覆う屋根本体である。前記屋根本体２は箱本体１の一側面すなわち扉３設置面側に向けた先端に庇４を突出させて、該庇４の前面板部４１の下端と、前記箱本体１の前面上部である扉３取付面の上部の間に排気口５を形成して、搭載した変圧器等により発生した熱を上部開口１ａから屋根本体２に突設した庇４を介して排出するものとしている。
【００１３】
また、前記排気口５を閉塞するように臨ませる多数の通気用孔６１を透設した通気用孔板６と該通気用孔板６の上部に設ける防水板７とを取付板部８の上下に一体に形成してなる排気用ユニット９を、前記取付板部８を前記箱本体１の前面上部すなわち扉３を開閉自在に取り付けた扉枠１２の上部に取り付けている。なお、図示の電気機器収納用箱は、扉３、側面１１、図示しない背面で囲み箱状を形成する構造で梁を採用していないため前記したとおり扉枠１２の上部に取り付けたものであるが、梁を採用しているフレーム構造のものにあっては梁に排気用ユニット９を取り付けてもよいことは勿論である。
【００１４】
なお、排気用ユニット９を取付板部８をもって前記箱本体１の前面上部である扉枠１２に取り付ける手段として、図２、図３に示すものは取付板部８にねじ挿通孔８ａを設け扉枠１２にねじ孔１２ａを設けて、ねじ８１を取付板部８の前面側からねじ挿通孔８ａを挿通させたうえねじ孔８１に螺合させて取付けるものとしている。排気ユニット９を取り付けた後、排気ユニット９に接触しないように被せて箱本体１に取り付けるものとしている。また、扉枠１２にねじ孔１２ａを直接設けることなく扉枠１２に透孔を設けてその裏面側にナットを溶接したものであってもよい。
【００１５】
また、排気用ユニット９を取付板部８をもって前記箱本体１の前面上部である扉枠１２に取り付ける手段として、図４に示すように取付板部８の裏面に係止片８２を突設して扉枠１２に設けた係止孔１２ｂに係止させて取り付けたものとしてもよい。
【００１６】
前記庇４の前面板部４１の下端と排気用ユニット９の通気用孔板６の先端との間に空隙４０を形成している。なお、図示のものは庇４の前面板部４１の下端に内向きに設けた折曲片部４１ａの先端の上部に通気用孔板６の先端が臨むものとして両先端間の上下間に間隙を形成したものである。
【００１７】
また、前記防水板７は通気用孔板６に多数透設した通気用孔６１を通過した雨水、雪を遮蔽するめ通気用孔６１の先端側が上部にまで延びるものとして前方上部に向け傾斜させたうえ防水板７の下面に付着した雨水が上面を伝って箱本体１内に浸入することを防止するため防水板７の先端に下向きに折曲させた水返し板７１を設けている。
【００１８】
また、図示の実施形態の電気機器収納用箱に係るものは、いわゆるモノコック構造を採用していることにより、図１に示すように屋根本体２を箱本体１の側板１１の上端に後下がり傾斜に取り付けるために金具１１ａにより補強して取り付けるものとしている。
【００１９】
このように構成されたものは、箱本体１に搭載した変圧器等により発生した熱は上部開口１ａから屋根本体２に突設した庇の下方４に設けた排気口５から的確排出して内部温度の上昇を抑制するものである。この場合に、排気口５を閉塞するように臨ませる通気用孔板６と該通気用孔板６の上部に防水板７を設けたものであるので、雨風や吹雪により雨水、氷雪が舞い上がって通気用孔板６を通過したものがあっても防止板７により遮断されて箱本体１内に浸入することがないものである。
【００２０】
そして、本発明の特長とするところは、排気口５を閉塞するように臨ませる通気用孔板６と該通気用孔板６の上部に設ける防水板７とを取付板部８の上下に一体に形成してなる排気用ユニット９としたものであるから、該取付板部８をもって前記箱本体１の前面上部に取り付けすればよいので、取付作業が容易であるうえ部品点数が少なく部品管理も容易なものとなる。
【００２１】
また、庇４の前面板部４１の下端と通気用孔板６の先端との間に空隙４０を設けたものとすると、通気用孔板６に箱本体１に搭載した変圧器等の内部機器による振動が通気用孔板６を介して庇４に伝わることがないので、屋根との共振がなくなり、騒音の低減となるものである。なお、前記したとおり、庇４の前面板部４１の下端に内向きに設けた折曲片部４１ａの先端の上部に通気用孔板６の先端が臨むものとして両先端間の上下間に間隙４０を形成したものとすると、この間隙４０からは雨水の浸入が少ないものであり、また、目隠しとなり体裁のよいものである。
【図面の簡単な説明】
【００２２】
【図１】本発明の実施形態を示す一部切欠斜視図。
【図２】本発明の実施形態の一例の要部を示す断面図。
【図３】本発明の実施形態の一例に使用する排気用ユニットを示す図であり、（Ａ）は前方側から示す斜視図、（Ｂ）は後方側から示す斜視図
【図４】本発明の実施形態の他例の要部を示す断面図。
【図５】従来例の要部を示す断面図。
【符号の説明】
【００２３】
１  箱本体
1a  上部開口
２  屋根本体
４  庇
41  前面板部
５  排気口
６  通気用孔板
７  防水板
８  取付板部
９  排気用ユニット
【図１】
2010081730.tif 000003
【図２】
2010081730.tif 000004
【図３】
2010081730.tif 000005
【図４】
2010081730.tif 000006
【図５】
2010081730.tif 000007